(57)【要約】      （修正有）【課題】自転車に取り付ける子供同乗器の取手部に取り付ける保護枕において、枕部分の高さ及び角度の調節ができる機能を設け、自転車走行中に胸部の保護ができるようにする。【解決手段】自転車本体の前方ハンドルに装備される子供同乗器の取手部に装着される保護枕に於いて、子供同乗器の取手部の前方に位置すると共にその取手部に沿う格子状面材からなる主枠と、この主枠の上部にその傾斜角度が調節可能に連結された格子状面材からなる枕部分受け枠と、この枕部分受け枠及び前方主枠の表側全面に装備されたクッション部と、この枕部分受け枠の格子状面材と主枠の格子状面材とに亘って任意の位置にて両端を引っ掛ける左右のヒンヂと、更に主枠の格子状面材の任意の位置に取り付けられ、且つ左右取手部分に引っ掛けられる固定用フックよりなることを特徴とする。【選択図】図１
0003119708.tif 000002
【実用新案登録請求の範囲】
【請求項１】
自転車本体の前方ハンドルに装備される子供同乗器の取手部に装着される保護枕に於いて、子供同乗器の取手部の前方に位置すると共にその取手部に沿う格子状面材からなる主枠と、この主枠の上部にその傾斜角度が調節可能に連結された格子状面材からなる枕部分受け枠と、この枕部分受け枠及び主枠の表側全面に装備されたクッション部と、この枕部分受け枠の格子状面材と主枠の格子状面材とに亘って任意の位置にて両端を引っ掛ける左右のヒンヂと、更に主枠の格子状面材の任意の位置に取り付けられ、且つ左右取手部分に引っ掛けられる固定用フックよりなることを特徴とした子供同乗器用保護枕
【請求項２】
主枠の表側に位置するクッション部の下部に、子供同乗器の取手部下部に巻き付けられるベルトを備えたことを特徴とした請求項１記載の子供同乗器用保護枕
【請求項３】
クッション部は枕部分の下部と主枠部分の上部がつながって、緩やかに湾曲している連結部とでなしたことを特徴とした請求項１〜２記載の子供同乗器用保護枕
【請求項４】
枕部分受け枠に装着したクッション部のカバーの両側縁を、その枕部分受け枠の両側端部まで包み込み、且つ両者に設けられた係止具にて取り外し自在に取着したことを特徴とした請求項１〜３記載の子供同乗器用保護枕
【考案の詳細な説明】
【技術分野】
【０００１】
本考案は、自転車本体の前方ハンドルに装備される子供同乗器の取手部に装着される保護枕に関するものである。
【背景技術】
【０００２】
自転車に子供を安定して着座させるために同乗器を用いることがある。自転車の運転ハンドルと運転者の着座シート（サドル）との間に幼児用の補助椅子である同乗器を取り付けるものがある。この場合に同乗器に着座した子供の直前に子供が握る取手部や運転ハンドルがあるため、子供が寝てしまったときなどに不用意にこの取手部や運転ハンドルに接触することがありえる。又、運転者は子供を支えながらの片手運転になるため危険である。
そこで同乗器の取手部を挟んで取り付ける睡眠時安全枕付き自転車用子供椅子が提案されている。
【特許文献１】実開平６−４２５６４号
【考案の開示】
【考案が解決しようとする課題】
【０００３】
しかしながら従来の方法では、解決しようとする課題が４点あった。第一に子供同乗器には様々な種類の取手部があり、従来の取手部を挟んで取り付ける方法では全ての取手部に取り付けることができなかった。第二に高さの調節や枕部分の角度の調節が大幅にできなかった。１歳と３歳の子供では身長差が約３０センチあり、高さの調節ができないと不自然な姿勢になるという問題があった。第三に未使用時の収納方法は前方に倒す方法だが、取り付け部分自体が邪魔になってしまう。着脱するには固定ネジを用いて行うため簡単に着脱ができなかった。
【０００４】
第四に子供が寝てしまうと脱力状態になり、振動により胸部が前方に打ちつけられることがある。従来の方法には胸部の保護ができなかった。
そこで、本考案は、子供同乗器の様々な種類の取手部に装着でき、高さ及び角度の大幅な調節ができるようにし、個々の子供に合わせることを可能にする。また、子供を支えながらでも着脱や収納が簡単にでき、自転車走行中には胸部も保護ができる自転車の子供同乗器用保護枕を提供する。
【課題を解決するための手段】
【０００５】
自転車本体の前方ハンドルに装備される子供同乗器の取手部に装着される保護枕に於  て、子供同乗器の取手部の前方に位置すると共にその取手部に沿う格子状面材からなる主枠と、この主枠の上部にその傾斜角度が調節可能に連結された格子状面材からなる枕部分受け枠と、この枕部分受け枠及び前方主枠の表側全面に装備されたクッション部と、この枕部分受け枠の格子状面材と主枠の格子状面材とに亘って任意の位置にて両端を引っ掛ける左右のヒンヂと、更に主枠の格子状面材の任意の位置に取り付けられ、且つ左右取手部分に引っ掛けられる固定用フックよりなることを特徴とした子供同乗器用保護枕よって達成される。
【考案の効果】
【０００６】
請求項１により、ヒンヂと固定用フックが任意の位置に取り付けることが可能なため、子供同乗器の様々な種類の取手部に装着することができ、且つ子供の座高や状況に合わせて高さの調節および枕部分の角度の調節が可能なため、寝てしまった子供の自然な姿勢を保つことができる。
請求項２により、固定用フックと固定用ベルトで着脱するため子供を支えながらでも簡単に着脱ができ、未使用時には取り外して前籠や後方荷台などに引っ掛けて収納ができる
ため邪魔にならない。
請求項３により、クッション部が枕部分よりつながって緩やかに湾曲しているため、自転車の走行中に振動などで前方に子供の体がずれた際、胸部を保護することが可能になる。
請求項４により、クッション部の取り外しが可能なため洗浄が簡単にできるため、常に清潔が保てる。
【考案を実施するための最良の形態】
【０００７】
図１に示す如く、子供同乗器用保護枕の背面斜視図であって、格子状面材からなる主枠１とこの主枠の上部にその傾斜角度が調節可能に連結（図２）１ａされた格子状面材からなる枕部分受け枠２がある。この格子状面材は防水力のある素材または防水加工された素材で作られる。格子状にすることによって、軽量化も図れる。この枕部分受け枠２の格子状面材と主枠１の格子状面材とに亘って任意の位置にて両端を引っ掛ける左右のヒンヂ３がある。ヒンヂ３の取り付け方法は図３に示す如く、３aを枕部分受け枠の任意の位置に挟み込み更に３ｂを主枠部分の任意の位置に挟み込み、それぞれネジ３ｃによって固定する。角度の調節方法は図４の場合は角度が緩やかで図５の場合は角度が鋭くなる。すなわち、一方を固定しもう一方を主枠１と枕部分受け枠２の連結部１ａから離れた位置に固定することによって角度が鋭くなる。このヒンヂは枕部分全体及び子供の頭の重さがかかるためその負荷に耐えうる強度を有するものである。
【０００８】
更に図６に示す如く、主枠１の格子状面材の任意の位置に取り付けられ、且つ子供同乗器の左右取手部分に引っ掛けられる固定用フック４がある。フック４の取り付け方法は、図７に示す如く４a部分を格子状面材の任意の位置に挟みこみもう一方を格子状面材に４ｃのネジによって固定する。取り付け位置は子供の座高の高さに合わせ、且つ取り付ける子供同乗器の取手部（図８）の取り付け可能な位置に合わせて調節する。
図９に示す如く、枕部分受け枠２及び主枠１の表側全面に装備されたクッション部6があり、クッション部の枕部分6ａの下部とクッション部の主枠部分６ｂの上部がつながって緩やかに湾曲している。枕部分6ａは左右のクッション部分を高くし子供の頭部が脱落しないようにする。クッション部６を枕部分受け枠２に取り付けるためにクッション部の枕部分の左右に枕部分受け枠の両側端部まで包み込みホックや面ファスナーなどの係止部にて固定する部分（図１）の６ｃを有する。クッション部の主枠部分の下部にベルトの一部が一体となって取り付けられ、子供同乗器の取手部下部に巻き付けられる固定用ベルト７がある。この固定用ベルト７は長さの調節ができるものである。
【実施例】
【０００９】
以下、添付図面に従って一実施例を説明する。
（１）自転車の子供同乗器に取り付け、使用する前に子供同乗器具用保護枕を組み立てる。図１に示す如く第一に子供の座高の高さに合わせて固定用フック４を取り付ける高さ位置を決める。第二に自転車の子供同乗器の取手部の取り付けることが可能な部分にあわせて幅を調節し固定用フック４を取り付ける。第３に枕部分の角度を子供がもたれやすい角度に左右のヒンヂで調節し固定する。第４にクッション部６を枕部分受け枠に乗せて枕部分横の固定部分６ｃをホックなどで固定する。第５にクッション部の主枠部分下部の固定ベルト７を取手部下部に巻き付けた際にしっかり締まる長さに調節する。
（２）使用するときは図１０に示す如く、第一に固定用フック４を自転車の子供同乗器の取手部５に引っ掛ける。この時点で子供が寝ている場合は、主枠部分６ｂの下部を支えながらクッション部の枕部分６aに子供の頭部を乗せる。そして下部の固定ベルト７を巻付け固定する。子供が起きている場合は、先に子供同乗器用保護枕を取り付け、最後に子供の頭部を静かに枕部分に乗せる。
（３）未使用時は前かごや自転車の後部荷台などに固定用フック４を引っ掛けて収納する。
【図面の簡単な説明】
【００１０】
【図１】子供同乗器用保護枕の背面斜視図
【図２】主枠と枕部分受け枠との連結部を示す図
【図３】ヒンヂの分解斜視図
【図４】ヒンヂの取り付け状態を示す斜視図１
【図５】ヒンヂの取り付け状態を示す斜視図２
【図６】フックの異なる使用例図
【図７】フックの分解斜視図
【図８】異なる取手部の例図
【図９】子供同乗器用保護枕の拡大斜視図
【図１０】取り付けた状態を示す側面図
【符号の説明】
【００１１】
１  主枠
１a  連結部
２  枕部分受け枠
３  ヒンヂ
３a  ヒンヂの挟み部分 
３b  ヒンヂの挟み部分
３c  固定ネジ
４  固定用フック
４a  固定用フックの挟み部分
４b  固定用フックの引っ掛け部分
４c  固定用フックのネジ留め部分
５  子供同乗器の取手部
６  クッション部
６a  クッション枕部分
６b  クッション主枠部分
６c  クッション係止部
７  固定ベルト
８  自転車の子供同乗器
【図１】
0003119708.tif 000003
【図２】
0003119708.tif 000004
【図３】
0003119708.tif 000005
【図４】
0003119708.tif 000006
【図５】
0003119708.tif 000007
【図６】
0003119708.tif 000008
【図７】
0003119708.tif 000009
【図８】
0003119708.tif 000010
【図９】
0003119708.tif 000011
【図１０】
0003119708.tif 000012